(57)【要約】【課題】ボタン付き衣服において、その衣服における前身頃の縁部の接合と外し操作を容易にして、老人などにおいても衣服を早く着脱できるようにする。【解決手段】前身頃２における表側に重ね合わされる一方の縁部３の表面にボタン４を付設し、該一方の縁部３の裏面に面ファスナの一方の接合片６を設け、前身頃における裏側に重ね合わされる他方の縁部７の表面に、前記面ファスナの一方の接合片６に対応する面ファスナの他方の接合片８を設ける。【選択図】図２
2005261738.tif 000002
【特許請求の範囲】
【請求項１】
前身頃における表側に重ね合わされる一方の縁部の表面にボタンを付設し、該一方の縁部の裏面に面ファスナの一方の接合片を設け、前身頃における裏側に重ね合わされる他方の縁部の表面に、前記面ファスナの一方の接合片に対応する面ファスナの他方の接合片を設けたことを特徴とするボタン付き衣服。
【請求項２】
前記面ファスナの両接合片を、前記ボタンが付設された位置に部分的に設けた請求項１記載のボタン付き衣服。
【発明の詳細な説明】
【技術分野】
【０００１】
本発明はボタン付き衣服に関する。
【背景技術】
【０００２】
従来、ワイシャツ、ブラウス、作業着などのボタン付き衣服においては、その衣服を着たり、脱いだりする場合には、そのボタンをボタン穴に対して掛け外しを行わなければならない。
【発明の開示】
【発明が解決しようとする課題】
【０００３】
ところで、近年、老人が増加し、老人の冠婚葬祭への出席する機会が多くなり、また、冠婚葬祭は時間が定められるため、急いで衣服を着ることが多い。また、冠婚葬祭用の正装用のワイシャツなどの衣服は、ボタン付きである。
【０００４】
このような場合、老人にとっては、ボタンをボタン穴に対して掛け外しする操作が困難であり、ボタン付き衣服を老人が急いで着脱することはできない。
また、災害時において、衣服を急いで着る場合に、急いでボタンをボタン穴に掛けることも困難である。
【０００５】
そこで本発明は、ボタンを必要とする衣服において、ボタンの掛け外しを必要とせずに着脱することができる衣服を提供し、前記の問題を解決することを目的とするものである。
【課題を解決するための手段】
【０００６】
前記の課題を解決するために、請求項１記載の発明は、前身頃における表側に重ね合わされる一方の縁部の表面にボタンを付設し、該一方の縁部の裏面に面ファスナの一方の接合片を設け、前身頃における裏側に重ね合わされる他方の縁部の表面に、前記面ファスナの一方の接合片に対応する面ファスナの他方の接合片を設けたことを特徴とするものである。
【０００７】
請求項２記載の発明は、請求項１記載の発明において、前記面ファスナの両接合片を、前記ボタンが付設された位置に部分的に設けたものである。
【発明の効果】
【０００８】
本発明のボタン付き衣服によれば、従来の、ボタンをボタン穴に掛け外して着脱する衣服に比べて、着脱が片手で極めて容易に、かつ、早く行うことができ、しかも、ボタンを付設しているため、その衣服を着た際には、あたかもボタンで止着したような体裁となり、正装用の衣服として使用できる。
【０００９】
したがって、ボタン付きの正装用の衣服を、例えば、冠婚葬祭へ出席するために時間的に早く着る必要がある場合に、老人においても、容易、かつ、早く着ることができる。
【００１０】
更に、災害時において、衣服を急いで着る場合にも、前身頃の両縁部を重ね合わせるのみで、容易に、かつ、早く着ることができる。
更に、作業服に適用した場合には、その作業服の前身頃の合せ部に物が引っ掛かった際に、その合わせ部が容易に開いてその物が外れ、安全性によい。
【００１１】
更に、ボタン穴を形成する必要がなく、衣服の製造も容易になる。
また、請求項２記載のように、面ファスナをボタンの位置に部分的に設けることにより、そのボタン部を目印として面ファスナの止着ができ、老人においても止着がしやすく、かつ、面ファスナを縁部の全長に長く設ける場合に比べて、外し操作が容易になる。
【発明を実施するための最良の形態】
【００１２】
本発明を実施するための最良の形態を図に示す実施例に基づいて説明する。
【実施例１】
【００１３】
図１乃至図４は本発明をワイシャツに適用した第１実施例を示し、ワイシャツ１の前身頃２において重ね合わせられる縁部であって表側に重ねられる一方の縁部３には、その表面にボタン４が糸５で縫い付け固定されている。該ボタン４は、縁部３に沿って通常の配置間隔で図１及び図２に示すように複数個設けられている。
【００１４】
また、前記の縁部３の裏面側には面ファスナを構成する一方の接合片６、例えば雌型片（ループ）が糸により縫い付けられて設けられている。この一方の接合片６は、前記のボタン４の裏側に位置して部分的に設けられている。すなわち、各ボタン４の部分に位置して点在的に設けられている。
【００１５】
前身頃２における裏側に重ねられる他方の縁部７には、その表面に、前記面ファスナを構成する一方の接合片６に対応する他方の接合片８、例えば雄型片（フック）が糸により縫い付けられて設けられている。該他方の接合片８は、両縁部３、７を重ねた場合に、前記一方の接合片６と合致する位置に部分的に設けられ、かつ、一方の接合片６と同数設けられている。この他方の縁部７には、ボタン穴は形成されていない。
【００１６】
また、前記ワイシャツ１の袖のカウス部分９における図４に示すように、表側に重ね合わされる表片１０の表面にはボタン１１が糸１２で縫い付けらて固着されている。また、表片１０の裏面には、前記ボタン１１の部分に位置して面ファスナを構成する一方の接合片１３、例えば雌型片（ループ）が糸により縫い付けられて設けられている。
【００１７】
また、前記カウス部分９における図４に示すように、裏側に重ね合わされる裏片１４の表面には、前記面ファスナを構成する一方の接合片１３に対応する他方の接合片１５、例えば雌型片（フック）が糸により縫い付けられて設けられている。
【００１８】
以上の構成であるから、ワイシャツ１を着る場合には、前身頃２における他方の縁部７の表側に、前身頃２の一方の縁部３を重ねてこれを手で押え付けることで、面ファスナの両接合片６と８が相互に係止接着する。したがって、着る人が片手によって前身頃の重ね合せ部の止着ができ、従来のように、ボタンをボタン穴に通して掛ける場合に比べて、極めて容易で、早くワイシャツを着ることができる。
【００１９】
また、このような面ファスナによる止着であっても、ボタン４が付設されているため、あたかもボタン４で止着しているように見られ、正装用ワイシャツとして使用することができる。
【００２０】
また、前記のワイシャツを脱ぐ場合には、前身頃の一方の縁部３を片手で開くのみで面ファスナの両接合片６、８を外すことができるため、このワイシャツを容易に、かつ早く脱ぐこともできる。
【００２１】
更に、カウス部分９においても、面ファスナで止着するようにしたので、このカウス部分９の止め外しも容易になり、ワイシャツの脱着が容易で、かつ、早くできる。
【００２２】
以上のことから、老人においても、ワイシャツの着脱が極めて容易で、かつ、早くでき、冠婚葬祭などに出席するために急いで着脱する場合に有効である。
更に、災害時において急いで衣服を着る場合にも有効である。
【００２３】
また、前記のように、面ファスナの両接合片６、８をボタン４の位置に設けたことにより、このボタンを目印として、このボタン部を押すことにより面ファスナによる止着ができるため、各面ファスナの止め忘れを防止することもできる。
【実施例２】
【００２４】
図５は第２実施例を示す。
本第２実施例は、面ファスナの一方の接合片６、例えば雌型片（ループ）を前身頃２の一方の縁部３における裏面の略全長にわたって一連に設け、面ファスナの他方の接合片８、例えば雄型片（フック）を前身頃２の他方の縁部７における表面の略全長にわたって一連に設けたものである。
【００２５】
その他の構造は前記第１実施例を同様であるため、前記と同一部分には前記と同一の符号を付してその説明を省略する。
【００２６】
本第２実施例においても前記第１実施例と同様の作用、効果を発揮できる。
なお、この第２実施例のように面ファスナの両接合部６、８を縁部３、７の略全長にわたって設けた場合と、前記第１実施例のように部分的に設けた場合とを比較すると、部分的に設けた場合の方が脱着が容易である。
【００２７】
また、面ファスナの前記一方の接合片である雌型片６を他方の縁部７側に設け、他方の接合片である雄型片８を一方の縁部３に設けてもよい。
【００２８】
また、前記のボタン４、１１の止着方法や面ファスナの接合片６、８、１３、１５の止着方法は前記のような糸による止着以外の手段でもよい。
【００２９】
更に、前記実施例は本発明をワイシャツに適用した例であるが、本発明は、ワイシャツに限るものではなく、その他のブラウスや作業衣などのボタン付き衣服に適用できるものである。
【図面の簡単な説明】
【００３０】
【図１】本発明の第１実施例を示すワイシャツの正面図。
【図２】図１の状態において前身頃を開いた正面図。
【図３】図２の一部拡大斜面図。
【図４】図１のカウス部の開いた状態の斜視図。
【図５】本発明の第２実施例を示すワイシャツの前身頃を開いた正面図。
【符号の説明】
【００３１】
２          前身頃
３          一方の縁部
４          ボタン
５          糸
６          面ファスナの一方の接合片
７          他方の縁部
８          面ファスナの他方の接合片
【図１】
2005261738.tif 000003
【図２】
2005261738.tif 000004
【図３】
2005261738.tif 000005
【図４】
2005261738.tif 000006
【図５】
2005261738.tif 000007